(57)【特許請求の範囲】
【請求項１】
印刷可能な用紙片から延設されてなる吊り下げ片を備え、該吊り下げ片に、ボトルネックへ吊り下げ可能なボトルネック装着孔を有するボトルネック用片が形成され、かつ、前記ボトルネック装着孔の内側に、缶のプルタブへ装着可能なプルタブ装着孔を有するプルタブ用片が、前記ボトルネック装着孔間において複数設けられたミシン目の繋目で、前記ボトルネック用片と分離可能に設けられていることを特徴とするネックリンガー。
【請求項２】
前記ミシン目の繋目は、所定の直径の円周上に等間隔で３個以上配置され、各ボトルネック装着孔の間には、ボトルネック用片とプルタブ用片を分離するためのミシン目が形成されていることを特徴とする請求項１記載のネックリンガー。
【請求項３】
前記印刷可能な用紙片が、複数枚の用紙片が直角及び／又は垂直方向へ連接され隣接する用紙片間の折り線で折畳んだリーフレット、又は、前記リーフレットが封止され開封するためのジッパーが形成されてなるリーフレット、又は、前記リーフレットの１部にハガキ領域が構成されてなることを特徴とする請求項１または請求項２記載のネックリンガー。
【発明の詳細な説明】
【技術分野】
【０００１】
本発明は、ネックリンガーに関し、さらに詳しくは、宣伝、広告用に使用されるボトル及び缶の両方に兼用できるネックリンガーに関するものである。
【背景技術】
【０００２】
（背景技術）ネックリンガー（ボトルネッカーともいう）は、新製品の販売促進のための宣伝、キャンペーンを進める一環として、ＰＯＰ広告（購買時点広告）的に新商品のボトルネックに取り付けて使用され、店頭におけるアイキャッチ効果を高め、また消費者に対する情報提供の役割を果している。構造的には用紙の形状を工夫して、ボトルのネック部、又は缶の蓋部へかぶせたり、引っ掛けたりして、それに続く部分へ広告や宣伝を記載して、消費者へ情報提供をしている。従来、ボトルネッカーは、ボトルはボトル専用、缶は缶専用の部材が必要で、二重に用意せねばならないという欠点があった。
そこで、ネックリンガーは、缶用にも使用でき、しかも簡易な操作で、直ちにボトル用に使用できるようになり、ボトル及び缶の両方に兼用できるものが求められている。
【先行技術文献】
【特許文献】
【０００３】
【特許文献１】実用新案登録第３１２６４１６号公報
【特許文献２】特開平１１−１５３９５７号公報
【発明の概要】
【発明が解決しようとする課題】
【０００４】
（従来技術）従来、缶用表示体としては、缶体の上蓋部を覆う広告表示紙と缶体の前面に垂下する広告表示紙と、当該双方の広告表示紙を繋ぐ狭幅の連結部に直交して連接し缶体の上縁部外周を覆う帯紙と、からなる紙製広告表示体であって、該帯紙は缶体に嵌め込みした際に巻締め部下縁に係止する複数の係止片を缶体の上蓋部を覆う広告表示紙側に向けて突出して有するものが知られている（例えば、特許文献１参照。）。しかしながら、缶専用で、ボトルには使用できないという問題点がある。
また、ボトルネッカーとしては、中板、後板、前板、糊代片の用紙片がこの順に連接され、前記後板と前記前板との間の折り線を中心として両観音折りし、対向する前記中板と糊代片の表面同士を糊貼りにより封止してなるリーフレットと、前記リーフレットの長手方向と直交する方向に延設され、ボトルネックから吊り下げ可能に孔が形成された吊り下げ片とを備えており、前記リーフレットには、前記中板と前記後板とを前記リーフレットの長手方向と直交する方向に引き裂いて開封するためのジッパーと、前記前板と前記糊代片とを切り離すためのミシン目と、前記リーフレットから前記吊り下げ片を切り離すためのミシン目とが形成され、前記リーフレットの前記前板及び前記後板によってハガキ領域が構成され、前記吊り下げ片に連接された用紙片の表面には、宣伝・広告が印刷されているものが知られている（例えば、特許文献２参照。）。しかしながら、ボトル専用で、缶は使用できないという欠点がある。
【０００５】
そこで、本発明は上記のような問題点を解消するために、本発明者らは鋭意研究を進め、本発明の完成に至ったものである。その目的は、缶用にも使用でき、一部を切り取れば直ぐボトル用になり、ボトル及び缶の両方に兼用できるネックリンガーを提供することである。
【課題を解決するための手段】
【０００６】
上記の課題を解決するために、本発明の請求項１の発明に係わるネックリンガーは、印刷可能な用紙片から延設されてなる吊り下げ片を備え、該吊り下げ片に、ボトルネックへ吊り下げ可能なボトルネック装着孔を有するボトルネック用片が形成され、かつ、前記ボトルネック装着孔の内側に、缶のプルタブへ装着可能なプルタブ装着孔を有するプルタブ用片が、前記ボトルネック装着孔間において複数設けられたミシン目の繋目で、前記ボトルネック用片と分離可能に設けられているように、したものである。
請求項２の発明に係わるネックリンガーは、前記ミシン目の繋目は、所定の直径の円周上に等間隔で３個以上配置され、各ボトルネック装着孔の間には、ボトルネック用片とプルタブ用片を分離するためのミシン目が形成されているように、したものである。
請求項３の発明に係わるネックリンガーは、前記印刷可能な用紙片が、複数枚の用紙片が直角及び／又は垂直方向へ連接され隣接する用紙片間の折り線で折畳んだリーフレット、又は、前記リーフレットが封止され開封するためのジッパーが形成されてなるリーフレット、又は、前記リーフレットの１部にハガキ領域が構成されてなるように、したものである。
【発明の効果】
【０００７】
請求項１、請求項２の本発明によれば、缶用にも使用でき、一部を切り取れば直ぐボトル用になり、ボトル及び缶の両方に兼用でき、消費者の当該新商品に関する購入の動機、嗜好、セールスキャンペーンの一環として行うイベントや懸賞への参加希望等に関する消費者情報を商品販売と同時に知ることができる効果を奏する。
請求項３の本発明によれば、請求項１、２の効果に加えて、広告情報を多くでき、また、秘匿情報を封止できジッパーで容易に開封でき、さらに、リーフレットの一部をハガキとして取り出して、利用することが出来る効果を奏する。
【図面の簡単な説明】
【０００８】
【図１】本願発明の１実施例を示すネックリンガーの平面図である。
【図２】本願発明のネックリンガーのボトルへ装着前の状態を表す平面図である。
【図３】本願発明のネックリンガーを缶へ装着した状態を示す斜視図である。
【図４】本願発明のネックリンガーをボトルへ装着した状態を示す斜視図である。
【発明を実施するための形態】
【０００９】
以下、本発明の実施形態について、図面を参照しながら、詳細に説明する。
【００１０】
（ネックリンガー）本願発明のネックリンガー１は、図１に示すように、印刷可能な用紙片１１から延設されてなる吊り下げ片１０を備え、該吊り下げ片１０へボトルネックへ吊り下げ可能なボトルネック装着孔１３を有するボトルネック用片１５が形成され、かつ、前記ボトルネック装着孔１３の内側に、缶のプルタブへ装着可能なプルタブ装着孔１７を有するプルタブ用片１９が分離可能に設けられている。
【００１１】
（缶用）図１に示すネックリンガー１をそのまま使用することで、プルタブ用片１９のプルタブ装着孔１７を缶のプルタブへ装着すると、図３に示すように、缶へ用紙片が装着できて、消費者の当該新商品に関する購入の動機、嗜好、セールスキャンペーンの一環として行うイベントや懸賞への参加希望等に関する消費者情報を商品販売と同時に知らせることができる。
【００１２】
（ボトル用）図１に示すネックリンガー１において、分離可能に設けられているプルタブ用片１９を分離すると、図４に示すように、ボトルのネック部へ装着でき、消費者の当該新商品に関する購入の動機、嗜好、セールスキャンペーンの一環として行うイベントや懸賞への参加希望等に関する消費者情報を商品販売と同時に知らせることができる。
【００１３】
（用紙片）用紙片１１としては、特に限定されるものではないが、適度な剛性があり、鮮明なフルカラー印刷が可能であればよい。上質紙や板紙製として低コスト、環境対応とすることができる。或いは、樹脂系の材料や、樹脂系の材料を積層してもよく、必要に応じて耐水性を持たせることもできる。さらには、マットコート紙を用いてインクジェット印刷を可能にすることもできる。ハガキ領域を設ける場合には郵便法に適合する範囲の用紙であればいかなるものを使用してもよい。用紙の坪量としては特に限定されるものではないが、１００〜３００ｇ／ｍ2程度、好ましくは、アートポスト系のもので１５０〜２５０ｇ／ｍ2の板紙である。
【００１４】
（印刷）用紙片１１に設ける印刷としては、オフセット印刷、グラビア印刷などの公知のいかなる方法によってもよい。また、用紙片１１の表面や裏面には、広告宣伝用以外にも、スクラッチ印刷による籤を設けたり、ポイント券を印刷してもよい。
【００１５】
（ネックリンガー）ネックリンガー１は印刷可能な用紙片１１から吊り下げ片１０を延設するように設ける。延設方法としては用紙片１１から連続して延長するように設ければよい。
【００１６】
（折り線）延設部分には折り線２３を設けても良い。折り線２３はボトルや缶へ装着した場合に、容器に沿って順応することができ、外観の見栄えがよくなる。
【００１７】
（吊り下げ片）吊り下げ片１０はボトルネックへ吊り下げ可能なボトルネック装着孔１３を有するボトルネック用片１５を形成し、かつ、ボトルネック装着孔１３の内側に、缶のプルタブへ装着可能なプルタブ装着孔１７を有するプルタブ用片１９を分離可能に設ける。
【００１８】
（プルタブ用片）プルタブ用片１９は、ボトルネック装着孔１３の内側に、缶のプルタブへ装着可能なプルタブ装着孔１７を形成し、分離可能に設ければよい。プルタブ装着孔１７は缶のプルタブに応じて、プルタブに装着可能な大きさとすればよく、図１に示すような、変形させた矩形が装着のし易さの点で好ましい。
【００１９】
（分離）分離可能とは通常ミシン目２１を設けて容易に手で破壊でき分離することができればよい。なお、図１では、ボトルネック装着孔１３とプルタブ用片１９の外側の作図上の都合で隙間があるが、実際は切れ線で接している状態である。ミシン目２１のピッチや間隔は容易に手で破壊できればよく、特に限定されるものではなく、適宜、選択すればよい。
【００２０】
（ボトルネック用片）ボトルネック用片１５へは、吊り下げ片１０へボトルネックへ吊り下げ可能なボトルネック装着孔１３を設け、通常のボトルに対しては４０ｍｍの打ち抜きボトルネック装着孔１３を設ければよいが、これに限定されるものではなく、使用するボトルに応じて、適宜選択すればよい。
【００２１】
（ネックリンガー）ネックリンガー１のサイズは、対象となるボトルの大きさに応じて、適宜に決めればよい。通常のボトルの４０ｍｍのボトルネック装着孔１３では、用紙片１１の大きさは７５×９０ｍｍ程度のものが適当であるが、これより大きくても小さくても差し支えない。
【００２２】
（製造）ネックリンガー１の製造は、まず、用紙片１１へ広告などの所望の印刷を公知の印刷法で行う。ネックリンガー１の折り線部分は押し罫で、ボトルネック装着孔１３とプルタブ用片１９の外側とはミシン目で、他はビク刃などによる切れ刃で、抜き型を作成して、ビク抜き機へセットして、打ち抜けばよい。
【００２３】
（容器）ネックリンガー１を用いる缶体、ボトル体としては、特に限定されるものではない。缶体としては、一般に用いられているプルトップ型のアルミ缶、スチール缶の何れにも対応することができる。そして、缶ビールや缶ジュースなどの飲料缶に販促用として取り付けて使用するのが好適である。ボトル体としては、ガラス瓶、ペットボトルなど、首部を有する形状であればよい。
【実施例】
【００２４】
以下、実施例及び比較例により、本発明を更に詳細に説明するが、これに限定されるものではない。なお、溶媒を除き、各層の各組成物は固形分換算の質量部である。
【００２５】
（実施例１）用紙として坪量１９０ｇ／ｍ2の板紙（三菱製紙株式会社製「耐水紙」）の表面に、多面付けした絵柄をオフセット印刷法で多色印刷した。絵柄はビールの新製品キャンペーン等のものとした。次に、打ち抜き工程において、図１のブランク板の形状に打ち抜きして、実施例１のネックリンガー１を得た。
なお、用紙片１１の大きさは縦６０ｍｍ×横６０ｍｍとし、延設部は幅２０ｍｍ長さ１５ｍｍとし、水平の折り線を３本設け、ボトルネック用片１５の外径を４８ｍｍ、ボトルネック装着孔１３を３８ｍｍ、プルタブ用片１９の外径を３８ｍｍとし、ボトルネック装着孔１３とプルタブ用片１９の外径との間はミシン目とし、プルタブ装着孔１７は縦４〜７ｍｍ×幅１８ｍｍとした。
実施例１のネックリンガー１のプルタブ装着孔１７を、３５０ｍｍｌ入りビールアルミ缶のプルタブへ挿入してところ、係止し表示体とすることができた。また、プルタブ用片１９はミシン目から手で容易に除去できた。除去したことで現れたボトルネック装着孔１３を、７５０ｍｍｌのガラス瓶のネックへ装着することができ、表示体とすることができた。
【産業上の利用可能性】
【００２６】
（産業上の利用可能性）本発明のネックリンガーの主なる用途としては、飲料や食品の缶やボトル容器用で、広告などの表示体を添付することができるものである。しかしながら、消費者の当該新商品に関する購入の動機、嗜好、セールスキャンペーンなどの、広告表示体を必要とする用途であれば、特に限定されるものではない。
【符号の説明】
【００２７】
１：ネックリンガー
１０：吊り下げ片
１１：用紙片
１３：ボトルネック装着孔
１５：ボトルネック用片
１７：プルタブ装着孔
１９：プルタブ用片
２１：ミシン目
２３：折り線
【図１】
0005493588.tif 000002
【図２】
0005493588.tif 000003
【図３】
0005493588.tif 000004
【図４】
0005493588.tif 000005